(57)【要約】【課題】  ペットの排泄物等を、有機物の低分子化および分解吸着、微生物活動による生分解処理等によって分解、消滅処理することができ、また使用後の廃棄処理の面でも優れ、環境に対して好適な有機性廃棄物処理材を得る。【解決手段】  多孔質で保水性および通気性の高い木質粉材等の多孔質有機材料からなる触媒主材１と、多孔質で臭気の吸着力をもち造粒硬度を向上させ、また酵素の吸蔵性が高い材料からなる触媒副主材２と、酵素の培養、固定化がしやすい触媒機能をもつ有機素材からなるバインダ３とを混練することで、酵素材４を着床させる適度に硬度をもつ混合物を得る。これに酵素材を添加して培養、着床させる。この状態で混合物を混練成型し、球状、粒状もしくはフレーク状の有機性廃棄物処理材を得る。【選択図】        図１
2005102669.tif 000002
【特許請求の範囲】
【請求項１】
多孔質で保水性および通気性の高い有機材料からなる触媒主材と、多孔質で臭気の吸着力をもち造粒硬度を向上させる材料からなる触媒副主材と、酵素の培養固定化がしやすい触媒機能をもつ有機素材からなるバインダとを混合して混練するとともに、
酵素材を添加して培養して着床させた混合物を、加圧成型して造粒することにより形成されていることを特徴とする有機性廃棄物処理材。
【請求項２】
請求項１記載の有機性廃棄物処理材において、
前記触媒主材は、木質材、おがくず、間伐材等の有機材料のいずれかであることを特徴とする有機性廃棄物処理材。
【請求項３】
請求項１又は請求項２記載の有機性廃棄物処理材において、
触媒副主材は、ゼオライトなどの材料からなることを特徴とする有機性廃棄物処理材。
【請求項４】
請求項１、請求項２又は請求項３記載の有機性廃棄物処理材において、
バインダとして、酵素の培養固定化がしやすい触媒機能を持つ有機素材であるキチン誘導体、海藻等が用いられることを特徴とする有機性廃棄物処理材。
【請求項５】
請求項１ないし請求項４のいずれか１項に記載の有機性廃棄物処理材において、
この有機性廃棄物処理材を、ペット用トイレにおいてペットの排泄物の分解、消滅処理用として用いたことを特徴とする有機性廃棄物処理材。
【請求項６】
多孔質で保水性および通気性の高い有機材料からなる触媒主材と、多孔質で臭気の吸着力をもち造粒硬度を向上させる材料からなる触媒副主材と、酵素の培養固定化がしやすい触媒機能をもつ有機素材からなるバインダとを粉化して混合し、
温水、熱湯にて加水混練するとともに、
酵素材を添加して培養して着床させた後、
加圧成型機により加圧成型することにより造粒することを特徴とする有機性廃棄物処理材の製造方法。
【請求項７】
多孔質で保水性および通気性の高い有機材料からなる触媒主材と、多孔質で臭気の吸着力をもち造粒硬度を向上させる材料からなる触媒副主材と、酵素の培養固定化がしやすい触媒機能をもつ有機素材からなるバインダとを微細化して混合するとともに、
これに酵素材を混入し、
６０℃以下で加水混練するとともに、
加圧成型機により加圧成型することにより造粒することを特徴とする有機性廃棄物処理材の製造方法。
【請求項８】
請求項６又は請求項７記載の有機性廃棄物処理材の製造方法において、
前記触媒主材は、木質材、おがくず、間伐材等の有機材料のいずれかであることを特徴とする有機性廃棄物処理材の製造方法。
【請求項９】
請求項６、請求項７又は請求項８記載の有機性廃棄物処理材の製造方法において、
触媒副主材は、ゼオライトなどの材料からなることを特徴とする有機性廃棄物処理材の製造方法。
【請求項１０】
請求項６ないし請求項９のいずれか１項に記載の廃棄物処理材の製造方法において、
バインダとして、酵素の培養固定化がしやすい触媒機能を持つ有機素材であるキチン誘導体、海藻等が用いられることを特徴とする有機性廃棄物処理材の製造方法。
【発明の詳細な説明】
【技術分野】
【０００１】  本発明は、たとえばペットの排泄物等を、酵素により微生物を活用することで分解、消滅処理するために用いて好適な有機性廃棄物処理材およびその製造方法に関する。
【背景技術】
【０００２】  ペット用のトイレ砂としては、鉱物質のベントナイト、シリカゲル、ゼオライトなど、パルプ材、ヒノキ、おからの原料を用いて、主に室内飼育ペット用に造粒した屎尿吸着製品などが従来から知られている。これらの物質の製品はコスト的に安価であって、またペットの排泄物の臭気や尿の吸水性が高いとの評価を受けている。【０００３】  しかし、前者の鉱物質であるベントナイトあるいはシリカゲル、ゼオライト等を原料としたものは、比重が重いものであり、また臭気吸着屎尿処理後の廃棄に関しては、燃えるゴミとしては不適であるにもかかわらず、廃棄が面倒なために可燃ごみとして不法に廃棄されている。また、このような鉱物質を原料としたものは、取り扱う際に埃が立ちやすく、吸引してしまうとむせたり、不快になる等の不具合がある。【０００４】  また、後者のヒノキやおから等によるペット用屎尿吸着製品は、取り扱いやすさや廃棄の問題を有機物利用という観点から改善しており、環境的には最もやさしいことで普及している。しかし、このような原料によるものは製造方法にもよるが、造粒されたペレット状体、粒棒体、球体の硬度不足により耐磨耗性や耐衝撃性には欠けると同時に、屎尿処理段階で吸収して形崩れを引き起こすケースも多い。【０００５】  このような従来のペット用トイレ砂のもつ不具合を解決し得るものとして最近では、微生物を利用した生分解処理によるものも提案されるようになっている。すなわち、木質原料を主材とし、バクテリア等の微生物を添加混入することで形成されるペット用糞尿吸着砂を用いることにより、ペットの糞尿吸着後の悪臭防止と利用廃棄後の処理を、生分解による自家処理可能としたものである（例えば、特許文献１参照）。【０００６】
【特許文献１】          特開２００３−２１９７４５号公報
【発明の開示】
【発明が解決しようとする課題】
【０００７】  しかし、上述した特許文献１には、生分解によって処理すると明記されているものの、ペットの排泄物を分解消滅させることではなく、残渣がある可能性は否定できない。しかも、この特許文献１では、分解促進について一切触れていないし、糞尿を自家処理可能な特徴も具体的には不明であり、実用に供することはできない。【０００８】  たとえば従来から知られている生ゴミ処理機では、残渣が出て、発酵しきらないうちに腐敗し、コンポストと称して堆肥化しているケースがほとんどである。したがって、上述したペット用糞尿吸着砂では、まだまだ実用上で問題であり、これらを一掃し得る何らかの対策が必要となっている。【０００９】  特に、ペットが室内飼育によるものである場合、上述したように常に一定の環境下にて微生物を利用した分解消滅タイプのペット用トイレの必要性が大きいもので、このような要請に応えることが望まれている。【００１０】  本発明はこのような事情に鑑みてなされたものであり、ペットの排泄物、さらに生ゴミなどの有機性廃棄物を、所要の状態で効率よく分解、消滅処理することができる有機性廃棄物処理材およびその製造方法を得ることを目的とする。【００１１】  特に、本発明によれば、有機性廃棄物を処理した後には、該廃棄物を炭酸ガスと水分とに分解処理してほぼ完全に消滅させることができ、環境的に優れている有機性廃棄物処理材およびその製造方法を得ることを目的とする。
【課題を解決するための手段】
【００１２】  このような目的に応えるために本発明（請求項１記載の発明）に係る有機性廃棄物処理材は、多孔質で保水性および通気性の高い有機材料からなる触媒主材と、多孔質で臭気の吸着力をもち造粒硬度を向上させる材料からなる触媒副主材と、酵素の培養固定化がしやすい触媒機能をもつ有機素材からなるバインダとを混合して混練するとともに、酵素材を添加して培養して着床させた混合物を、加圧成型して造粒することにより形成されていることを最も主要な特徴とする。【００１３】  ここで、このような有機性廃棄物処理材は、水素イオン濃度を中性質するものを使用することが望ましい。
また、上述した触媒主材は、木質材、おがくず、間伐材等の有機材料のいずれかである。さらに、触媒副主材は、ゼオライトなどの材料からなる。また、バインダとしては、酵素の培養固定化がしやすい触媒機能を持つ有機素材であるキチン誘導体、海藻等が用いられる。【００１４】  また、上述した有機性廃棄物処理材は、たとえばペット用トイレにおいてペットの排泄物の分解、消滅処理用として用いられる。【００１５】  なお、上述した有機性廃棄物処理材には、その使用時に酵素材が十分活性するように、糖質などの栄養素を酵素材の着床後であって、最終梱包時に粉状を同封印する。たとえば米糠、小糠等の粉末を着床済みの酵素体に塗し、真空バキュームパックで同封にするか、あるいは別途で添加材として付けることが考えられている。ここで、これらの米糠、小糠は、蒸し上げ後に乾燥、細粉化し、これによってコナダニ等を死滅させておく。【００１６】  また、上記の触媒主材、触媒副主材を混合して混練する時には、すべての材料を粉化したものを使用し、これによって均一な触媒を製造できるようにする。なお、ペレット（粒状）にする際は、できる限り細粉するとよい。【００１７】  本発明（請求項６記載の発明）に係る有機性廃棄物処理材の製造方法は、多孔質で保水性および通気性の高い有機材料からなる触媒主材と、多孔質で臭気の吸着力をもち造粒硬度を向上させる材料からなる触媒副主材と、酵素の培養固定化がしやすい触媒機能をもつ有機素材からなるバインダとを粉化して混合し、温水、熱湯にて加水混練するとともに、酵素材を添加して培養して着床させた後、ペレタイザ（加圧成型機）により加圧成型することにより造粒することを特徴とする。【００１８】  ここで、上述した混練時にバインダの硬さが不十分な場合には、それに有機性のつなぎを入れることも可能である。また、４０℃以上の温水、熱湯を用いるのは、触媒に付着したコナダニ等の害虫に対する対応であって、これにより死滅する。
なお、加圧成型されたペレット（造粒）は、たとえば球状、粒状あるいはフレーク状を呈するようにすればよい。【００１９】  また、上記の加圧成型後に、送風のみの転動常温乾燥もしくは転動熱風乾燥し、固定化を行う。すると、成型後において、水分の蒸発率が約５〜１０％程度の含有後に、酵素材を添加することで、着床する。
なお、このような酵素材は、水を介して前述した糖質の立上げ用の栄養素を与えた段階で活性化を開始する時、餌として取り込む可能性があるため、着床後の落ち着いた時点で、きな粉のように塗して無酸素状態にパッキングすることで長期の対応に備える。この酵素材は、無生物である以上、真空パックは管理上も問題が少ない。【００２０】  本発明（請求項７記載の発明）に係る有機性廃棄物処理材の製造方法は、多孔質で保水性および通気性の高い有機材料からなる触媒主材と、多孔質で臭気の吸着力をもち造粒硬度を向上させる材料からなる触媒副主材と、酵素の培養固定化がしやすい触媒機能をもつ有機素材からなるバインダとを微細化して混合するとともに、これに酵素材（液、粉のいずれでも可）を混入し、６０℃以下で加水混練するとともに、加圧成型機により加圧成型することにより造粒することを特徴とする。【００２１】  ここで、上記の製造方法においての造粒成型は、微細化された触媒主材、副主材に酵素材（液、粉のいずれでもよい）の混練を行う際に、酵素材の着床を促進するために加水混練し、ゼオライト等への酵素材の着床とバインダとしてのキチン誘導体や海藻等による固定化を行う。それぞれの粉体を加水混練する際には、酵素材への変性を防ぐため、６０℃（変性を防ぐ温度）以下での混練が望ましい。そして、ペレタイザ（加圧成型機）を用いた加圧成型されたペレット（造粒）製法を行い、６０℃を超えない範囲で送風のみの転動常温乾燥もしくは転動熱風乾燥させ、固定化を行うことにより、有機性廃棄物処理材が形成される。
【発明の効果】
【００２２】  以上説明したように本発明に係る有機性廃棄物処理材およびその製造方法によれば、以下に述べる種々優れた効果を奏する。【００２３】  すなわち、本発明に係る有機性廃棄物処理材をペットの排泄物処理用に用いた場合において、従来の微生物を利用した生ゴミ処理の分野との比較では、生ゴミの成分と当該ペット屎尿においての成分は、さほど組成内容（炭水化物、脂肪、蛋白質、糖、細菌）も変わらないことから、同様の分解処理が可能であると言える。特に、室内飼育をしている場合、常に一定の環境下にて微生物を利用した分解消滅タイプのペット用トイレが要求される。これは、従来の微生物を利用した生ゴミ処理機の機構に準じたものである。【００２４】  よって、上記の作業も専用機器のみならず、常に一定の環境下を提供する専用機器と同様の作業を手作業とすることで同様な効果が得られることになる。加えて言うならば、本発明による有機性廃棄物処理材は、既存の生ゴミ処理機への転用もでき、温度管理と攪拌時間の固定化を適宜行えばよい。また、これらによって中大型犬用の糞処理にも同様に適用可能となる。【００２５】  また、従来のペット用ペット砂の廃棄には、前述のとおり常日頃から問題が山積している。しかし、本発明に係る有機性廃棄物処理材のように，酵素材を吸蔵させたものを利用することで、脱臭性が高く、屎尿の分解、消滅処理を２４時間程度で行うことが可能となる。その際には、炭酸ガスと水が気化するだけで、コンポストはできない。したがって、今までの屎尿処理にて廃棄していた糞尿の移送や廃棄作業が不必要になる。【００２６】  また、凡そ６ヶ月程度にて１０〜１５リッター程度の有機性廃棄物処理材の完全廃棄となるが、１．５〜２．５リッター／月の消費換算となるものであり、これはゴミ排出量の削減に値する。すなわち、従来タイプでは、その混入量が一袋あたり、平均８リッター前後であり、使用頻度にもよるが一匹あたり１ヶ月２袋（１６リッター）程度の廃棄が想定されることから，かなりの猫砂の廃棄が行われていることからも明らかである。【００２７】  以上のように本発明の有機性廃棄物処理材は、その使用期間を超過した際には、コンポストとして土壌へ戻すことも可能であることと、燃えるゴミとして廃棄することも可能であることによりゴミを出さないという部分で屎尿廃棄ではなく分解消滅と長期間の利用可能な有機性廃棄物処理材の廃棄との両面から環境的にも優れているということは言うまでもない。特に、主材は有機物であり、ゼオライト等の触媒副主材は、あくまでも触媒として利用占有割合は低いことから、容易に理解されよう。
【発明を実施するための最良の形態】
【００２８】  図１は本発明に係る有機性廃棄物処理材およびその製造方法の一つの実施の形態を示す。ここで、この実施の形態では、この有機性廃棄物処理材１０を、ペット用トイレにおいてペットの排泄物の分解、消滅処理用として用いた場合を説明する。【００２９】  図において、符号１は多孔質で保水性および通気性の高い有機材料からなる触媒主材、２は多孔質で臭気の吸着力をもち造粒硬度を向上させる材料からなる触媒副主材、３は酵素材４の培養固定化がしやすい触媒機能をもつ有機素材からなるバインダである。【００３０】  そして、上述した触媒主材１、触媒副主材２、バインダ３を混合し混練するとともに、後述する適宜の酵素材４を添加して培養して着床させた混合物を、加圧成型して造粒することにより、有機性廃棄物処理材１０が形成されている。
ここで、このような有機性廃棄物処理材１０は、水素イオン濃度を中性質するものを使用することが望ましい。【００３１】  また、上述した触媒主材１は、木質材、おがくず、間伐材等の有機材料である。さらに、触媒副主材２は、ゼオライトなどの材料からなる。また、バインダ３としては、酵素の培養固定化がしやすい触媒機能を持つ有機素材であるキチン誘導体、海藻等が用いられる。【００３２】  なお、上述した有機性廃棄物処理材１０には、その使用時に酵素材４が十分活性するように、糖質などの栄養素を酵素材の着床後であって、最終梱包時に粉状を同封印するとよい。たとえば米糠、小糠等の粉末を着床済みの酵素体に塗し、真空バキュームパックで同封にするか、あるいは別途で添加材として付けることが考えられている。ここで、これらの米糠、小糠は、蒸し上げ後に乾燥、細粉化し、これによってコナダニ等を死滅させておく。【００３３】  また、上記の触媒主材１、触媒副主材２を混合して混練する時には、すべての材料を粉化したものを使用し、これによって均一な触媒を製造できるようにする。なお、ペレット（粒状）にする際は、できる限り細粉するとよい。【００３４】  以上の構成による有機性廃棄物処理材１０は、たとえば図１に示す製造方法により製造される。すなわち、多孔質で保水性および通気性の高い有機材料からなる触媒主材１と、多孔質で臭気の吸着力をもち造粒硬度を向上させる材料からなる触媒副主材２と、酵素の培養固定化がしやすい触媒機能をもつ有機素材からなるバインダ３とを粉化して混合し、６０℃を超える温水、熱湯にて加水混練する。さらに、酵素材４を添加して培養して着床させた後、ペレタイザ（加圧成型機）により加圧成型することにより造粒するとよい。【００３５】  ここで、上述した混練時にバインダ３の硬さが不十分な場合には、それに有機性のつなぎを入れることも可能である。また、４０℃以上の温水、熱湯を用いるのは、触媒に付着したコナダニ等の害虫に対する対応であって、これにより死滅する。
なお、加圧成型されたペレット（造粒）は、たとえば球状、粒状あるいはフレーク状などを呈するように形成してもよい。【００３６】  また、図１に示すように、上記の加圧成型後に、送風のみの転動常温乾燥もしくは転動熱風乾燥し、固定化を行う。すると、成型後において、水分の蒸発率が約５〜１０％程度の含有後に、酵素材４が着床する。
なお、このような酵素材４は、水を介して前述した糖質の立上げ用の栄養素を与えた段階で活性化を開始する時、餌として取り込む可能性があるため、着床後の落ち着いた時点で、きな粉のように塗して無酸素状態にパッキングすることで長期の対応に備えることができる。なお、この酵素材４は、無生物である以上、真空パックは管理上も問題が少ない。【００３７】  本発明に係る有機性廃棄物処理材１０の特徴は、酵素材４を中心としたどこにでも存在する日常有用菌（微生物菌）の着床を最適な状態で行うことにある。すなわち、従来の生ゴミ処理機にみる微生物の触媒としては、おがくず、椰子の皮、ポリプロピレン等の単一種に対する添加培養、もしくは無添加状態で菌体（分解促進剤）を別に添加する形態が多い。しかし、多孔質、脱臭機能、安全性、安価、入手しやすい、菌床のメンテナンス、粒形状の維持（特にペット用）、廃棄の問題、これら一連の触媒機能を満たすには、１種類の主材適合では困難であり、数種の特性を生かした素材を組み合わせることで、より効果が高められる着床材（有機性廃棄物処理材１０）が必要となっている。【００３８】  たとえば前述した従来技術である特許文献１では、木質原料としてヒノキにおけるヒノキチオールなどのフィトンチッドの効力に期待する旨の記載があるが、ただ単に成分が殺菌、防虫や消臭機能を持ち合わせていても菌床に影響を与え菌体自体が死滅する可能性があり、それらの適合性をあわせて木質原料、間伐材などを選定する必要性がある。【００３９】  また、従来から知られている猫砂は、ある程度大きさがあり、比重もあり、飛び散らないまた、指の肉球に挟まりにくいなど大きさと形状が求められている。有機物としてのおがくずは、非常に扱いやすく分解消滅や脱臭も早い。しかし、使用頻度が高まると屎尿残渣と結合して細分化が起こる。この場合非常にキメが細かく猫砂には不向きである。【００４０】  さらに、屎尿における臭気の吸着や酸化による発酵促進には、ゼオライト等が最適である。特に、アンモニアの吸着能力は、ヤシガラ活性炭の約３０倍、吸放湿は木の約３倍、吸水量は、自重の６０〜８０ｗｔ％、塩基交換作用持ち中和させる。以上のことからゼオライトの触媒能力は高い。【００４１】  ここで、キチン誘導体には、キトサン、Ｎ−アルキリデン誘導体ならびにディオキシハロ誘導体が、バインダー（つなぎ）として非常に有効である。キトサンは、多孔質ビーズ、吸収剤として利用されており、Ｎ−アルキリデン誘導体においては酵素及び微生物の固定化が容易である。もしくは海藻を主成分としたポリマー等も利用可能である。また、前述の通り、微粒に粉砕されたキチン誘導体、海藻、木粉と多孔質のゼオライトに酵素材（液体）４を添加することで着床とその固定が有効となる。【００４２】  前述の主材を含む有機性廃棄物処理材１０の成型時への加水、加圧処理は、その工程において団塊化や固結を生じる程度ではなく、より一層結合力をつける為の有機固定添加剤の導入はいうまでもない。
加えて、あくまでも造粒化された個々の有機性廃棄物処理材１０は、従来の製品のように屎尿の水分によって団塊化や固結を生じさせて廃棄する作業を容易にする必要はなく、尿の場合はアンモニア臭気の吸臭とアンモニア水の吸水を生じさせ取り込んだ触媒内で既に着床している酵素によって低分子化分解促進させ、途中で水素イオンや電子に引き抜かれ、その後別々にエネルギを生成し、外からの酸素と結合して“水”となる。その後水素が引き抜かれた後は、二酸化炭素となって大気へ放出される。【００４３】  造粒化されたペレット体は適度な硬度を持ち合わせたものである。すなわち、全自動自浄式のペットトイレ用機器において、機器内排泄物処理中は、粒体自体がお互いに擦れ合い屎尿の細分化と分解促進作業には酸素材を交換する必要性があり、機器内のミキサー等で屎尿を攪拌分解し、細分化された屎尿をさらに低分子化する際に多くの酸素材を供給することで酵素材が糞尿の分解を促進し、低分子化の状態から微生物菌のイオン物質変換が行われる。【００４４】  上述の有機性廃棄物処理材１０では、分解処理した後に一部が微生物に取り込まれ菌体として残る。かなりの量の低分子化された有機物や難分解性有機物も残存する。殆どは、アンモニア及び硝酸態窒素として残存する。ただし、ゼオライトの投入によってアンモニアの吸着とｐＨコントロールが可能で処理能力は維持される。なお、菌体自体が着床している有機性廃棄物処理材も上記のことから多少の分解があることで硬度を上げて粒体の形状維持を行う。有機性廃棄物処理材の劣化期限はおよそ６ヶ月であるが、使用頻度や菌体へのメンテナンスが充実しているとそれ以上の維持は可能である。【００４５】  上述のイオン交換促進については、着床材として選定しているゼオライトがある。安価で供給が容易なゼオライトであるが、特質することは脱臭に非常に効果を発揮する。また、ゼオライトを使用した場合、機器内において通常菌体の維持管理状況から機器内の設定温度は、３０〜４０℃であり、微生物そのものの呼吸熱や発酵熱による維持や電力消費の低減が見込める。また、病原菌を吸収する。【００４６】  触媒バインダ３として選定しているキチン誘導体においては広範囲でその応用がなされており、その物理学特性はカニやエビなどの甲殻類の殻は、キチン（２５〜３０％）、炭酸カルシウム（４０〜５０％）蛋白質（２０〜３０％）から構成されている。これらの物質を順次的に除去したことによってキチンを得ることが可能となる。【００４７】  これまでにキチン誘導体の中には、微生物細胞の陰イオン性のカルボキシル基と反応し、病原性微生物を抑制する働きがあることが解っている。キトサン、オリゴ糖は腸内細菌に対する選択性を持って病原菌には、利用されない。有用微生物のなかには選択的に利用されることができる為、腸内有用菌の成長に効率的に利用することが可能である。キチン、キトサン及びキトサンオリゴ糖の添加は、腸内微生物の菌叢を有用微生物が占めるように変化させることで腸内環境を改善できる。以上のことから有用微生物を利用している当該着床材は対病原性微生物への耐抗性が十分なことから安全性が保持されている。これらのことから当該着床材は、微生物の繁殖力や生育に��ぐ優れる菌床である。【００４８】  ここで、本発明に係る有機性廃棄物処理材１０に用いている酵素材４について、以下に詳述する。
すなわち、本発明において用いている酵素材４は、たとえば動物（豚）の腸内細菌である有用菌を抽出した際の代謝副産物（蛋白質）科学的組成されたものを用いるとよい。元来酵素は、生命活動の根源であって、動物、植物すべての生命体に存在している。【００４９】  この場合、動物性酵素は、臓器、器官などの細胞と腸内有用菌によって体内で作られたものであるが、この酵素自体は、生物ではなく無生物である。よって、細菌類のような繁殖や付着はない。尤も、生き物が作り出す蛋白質である限り、生物が誕生し、成長、繁殖、生命維持活動をした後も、死に至るまで生き物の中において化学反応にかかわる触媒であることも自明である。【００５０】  このような酵素の役目としては、『分解』『合成』『吸収』『排泄』等があり、新陳代謝の重要な働きをしている。ここで，『分解』は、高分子化されている屎尿を低分子化に変換する働きである。『合成』は、低分子化された屎尿を微生物へ渡す働きであって、『吸収』後の酵素を産生増殖することになる。『吸収』は、それらの微生物の化学反応として低分子有機物を栄養源として増殖する働きである。さらに、『排泄』は、微生物のエネルギー交換によって生成された水と炭酸ガスを排出する働きである。【００５１】  すなわち、本発明は、猫砂等の廃棄物処理材を製造するに当たって酵素を取り入れることで、人間と同じように消化や代謝を繰り返す仕組みを流用するものであると言える。【００５２】  特に、微生物を利用することは先の特許文献１と同じにみえるが、本発明は、空気中に浮遊している有用菌、土壌菌等の自然界に存在している菌体を着床させ、酵素の力を借りて有機性廃棄物を分解、消滅させているのであって、酵素が重要な構成要件である。【００５３】  すなわち、細菌のみの投入では、高分子化されたゴミや屎尿は、細菌レベルでは、消化し難いため、充分な処理が行われないが、本発明に係る処理材によれば、使用着床材に含まれる酵素が分解した低分子に対して、それを好む（分解する）微生物を大量に誘発し、対象生ゴミを分解・消滅させるのに適した菌床（微生物が繁殖・生息する素地）を作りあげていくという優れた特性を持たせることができるのである。【００５４】  図３は本発明による製造方法の変形例を示すものであり、多孔質で保水性および通気性の高い有機材料からなる触媒主材１と、多孔質で臭気の吸着力をもち造粒硬度を向上させる材料からなる触媒副主材２と、酵素の培養固定化がしやすい触媒機能をもつ有機素材からなるバインダ３とを微細化して混合するとともに、これに酵素材４（液、粉のいずれでも可）を混入し、６０℃以下で加水混練するとともに、加圧成型機により加圧成型することにより造粒することで、有機性廃棄物処理材１０を形成している。【００５５】  ここで、この製造方法においての造粒成型は、微細化された触媒主材１、副主材２に酵素材４（液・粉いずれも）の混練を行う際に、酵素材４の着床を促進するために加水混練し、ゼオライト等への酵素材の着床とバインダ３としてのキチン誘導体や海藻等による固定化を行う。それぞれの粉体を加水混練する際には、酵素材４への変性を防ぐため、６０℃（変性を防ぐ温度）以下での混練が望ましい。そして、ペレタイザ���加圧成型機）を用いた加圧成型されたペレット（造粒）製法を行い、６０℃を超えない範囲で送風のみの転動常温乾燥もしくは転動熱風乾燥させ、固定化を行うことにより、有機性廃棄物処理材１０が形成されることになるのである。【００５６】  なお、本発明は上述した実施の形態で説明した構成や製造方法には限定されず、適宜変更し得ることはいうまでもない。
たとえば，上述した実施の形態では、本発明に係る有機性廃棄物処理材を、ペット用トイレ、すなわちペットの排泄物を処理する処理材に用いた場合を説明したが、本発明はこれに限らず、生ゴミ処理用の専用機等に使用してもよいことは言うまでもない。このようにすれば、有機性廃棄物である生ゴミを分解処理してコンポスト（有機質肥料）を選択的に得ることも可能である。【００５７】  また、上述した実施の形態では、酵素材として、一例を例示したが、これに限らず、種々の酵素材を用いてもよいことは勿論である。
【図面の簡単な説明】
【００５８】
【図１】  本発明に係る有機性廃棄物処理材およびその製造方法の一つの実施の形態を示す概略構成図である。
【図２】  本発明に係る有機性廃棄物処理材およびその製造方法の一つの実施の形態を示す概略構成図である。
【符号の説明】
【００５９】  １…触媒主材、２…触媒副主材、３…バインダ、４…酵素材、１０…有機性廃棄物処理材。
【図１】
2005102669.tif 000003
【図２】
2005102669.tif 000004